(57)【要約】【課題】  液晶モジュールとケースの開口部との間の隙間を塞ぐためのパッキンをシート状部材から無駄なく切り出しできるよう構成する。【解決手段】  液晶モジュール２は、ケース１内側の開口部１１周囲に対してパッキン４を介して密着配置されると共に、パッキン４は４本の帯状片４０の端部同士を突き合わせて四角形枠状に連結して形成される。帯状片４０は弾性変形するスポンジ状部材から成り、端部に形成された連結部は矩形部５を有して形成され、且つこの矩形部５は連結相手の矩形部と嵌合可能な形状で形成され、平行に対向配置される帯状片４０は同一形状の帯状片４０の一方が反転されて組み付けられる。【選択図】  図５
2018088592.tif 000002
【特許請求の範囲】
【請求項１】
ケース内に液晶モジュールが配置され、前記ケースに設けた開口部から前記液晶モジュールの表示エリアを露出させたインターホン機器において、
前記液晶モジュールは、前記ケース内側の前記開口部周囲に対してパッキンを介して密着配置されると共に、前記パッキンは、４本の帯状片の端部同士を突き合わせて四角形枠状に連結して形成され、
前記帯状片は弾性変形する部材から成り、端部に形成された連結部は矩形部を有して形成され、且つ当該矩形部は連結相手の矩形部と嵌合可能な形状で形成されて成ることを特徴とするインターホン機器。
【請求項２】
平行に配置される前記帯状片は同一形状の帯状片であり、一方が反転して使用されることを特徴とする請求項１記載のインターホン機器。
【請求項３】
前記連結部は凹部或いは凸部を有して形成されると共に、前記帯状片同士を嵌合した段階では両者の間に隙間が発生するよう形成され、前記ケースと前記液晶モジュールとで挟持されて圧縮されることで広がり、前記隙間が塞がることを特徴とする請求項１又は２記載のインターホン機器。
【請求項４】
前記パッキンは、合成樹脂製のスポンジ状部材から成ることを特徴とする請求項１乃至３の何れかに記載のインターホン機器。
【発明の詳細な説明】
【技術分野】
【０００１】
本発明は、映像等を表示する液晶モジュールを備えたインターホン機器に関する。
【背景技術】
【０００２】
液晶モジュールを備えたインターホン機器として、玄関子機に設けたカメラの撮像映像を表示するモニタを備えた居室親機が普及している。このような液晶モジュールを備えたインターホン機器は、液晶モジュールの表示エリアに合わせて形成したケースの開口部に対して、その内側に液晶モジュールを配置し、表示エリアの周辺部をケースの開口部裏面に密着させ、密着するケースと液晶モジュールの間には塵等の侵入を防止するためにパッキンが配置されている（例えば、特許文献１参照）。
【先行技術文献】
【特許文献】
【０００３】
【特許文献１】特開２００５−１１７４４５号公報
【発明の概要】
【発明が解決しようとする課題】
【０００４】
上述したように、ケースと液晶モジュールの密着部にはパッキンが配置されるが、パッキンは開口部の周囲形状に合わせて口の字状に形成され、全周に亘り一体に形成されていた。そのため、パッキンはシート状の部材を口の字状に打ち抜いて形成され、廃棄する部分が多かった。これは、液晶モジュールが小さい初期の頃の居室親機では、口の字状のパッキン自体も小さいため大きな問題とはならなかったが、近年の表示画面の大型化により、液晶モジュールが大型化したことで、廃棄する面積が顕著になり、問題となっていた。
【０００５】
そこで、本発明はこのような問題点に鑑み、液晶モジュールとケースの開口部との間の隙間を塞ぐためのパッキンを、シート状部材から無駄なく切り出しできる形状としたインターホン機器を提供することを目的としている。
【課題を解決するための手段】
【０００６】
上記課題を解決する為に、請求項１の発明は、ケース内に液晶モジュールが配置され、ケースに設けた開口部から液晶モジュールの表示エリアを露出させたインターホン機器において、液晶モジュールは、ケース内側の開口部周囲に対してパッキンを介して密着配置されると共に、パッキンは、４本の帯状片の端部同士を突き合わせて四角形枠状に連結して形成され、帯状片は弾性変形する部材から成り、端部に形成された連結部は矩形部を有して形成され、且つ当該矩形部は連結相手の矩形部と嵌合可能な形状で形成されて成ることを特徴とする。
この構成によれば、帯状片の連結部は矩形部を有するため、直線状に隙間が発生することが無い。また突き合わせて連結するため互いに重なる事も防止できる。よって、一定の応力を有して且つ密な状態で開口部周囲を閉塞できる。そして、パッキンをシート状部材から切り出す場合、帯状片を切り出せば良く廃棄部材の発生が僅かで済む。
【０００７】
請求項２の発明は、請求項１に記載の構成において、平行に配置される帯状片は同一形状の帯状片であり、一方が反転して使用されることを特徴とする。
この構成によれば、２種類の帯状片でパッキンを作製でき、４つの部材で作製しても部品の種類は僅かで済む。
【０００８】
請求項３の発明は、請求項１又は２に記載の構成において、連結部は凹部或いは凸部を有して形成されると共に、帯状片同士を嵌合した段階では両者の間に隙間が発生するよう形成され、ケースと液晶モジュールとで挟持されて圧縮されることで広がり、隙間が塞がることを特徴とする。
この構成によれば、連結部が凹部に凸部を挿入する形態であるため、連結部の経路が長く隙間の発生を確実に防止できる。そして、凹部と凸部との間には隙間が存在するため、スムーズに嵌合させることができ、容易に組み付けできる。それでいて、ケース内に配置された際には隙間は無くなるため、良好に閉塞できる。
【０００９】
請求項４の発明は、請求項１乃至３の何れかに記載の構成において、パッキンは、合成樹脂製のスポンジ状部材から成ることを特徴とする。
この構成によれば、パッキンは容易に変形するため、パッキンを圧縮してもケースと液晶モジュールとの間に強い応力が加わる事なく、隙間の発生を防止できる。
【発明の効果】
【００１０】
本発明によれば、帯状片の連結部は矩形部を有するため、直線状に隙間が発生することが無い。また突き合わせて連結するため互いに重なる事も防止できる。よって、一定の応力を有して且つ密な状態で開口部周囲を閉塞できる。そして、パッキンをシート状部材から切り出す場合、帯状片を切り出せば良く廃棄部材の発生が僅かで済む。
【図面の簡単な説明】
【００１１】
【図１】本発明に係るインターホン機器の一例を示し、ケース上を外した正面説明図である。
【図２】図１の状態からパッキンを外した正面説明図である。
【図３】インターホン機器の正面図である。
【図４】Ａ−Ａ線断面説明図である。
【図５】パッキン単体の分解図である。
【図６】図１のＢ部拡大図である。
【図７】図４のＣ部拡大図を示し、（ａ）は変形する前のパッキンの断面を示す説明図、（ｂ）は変形後の実際のパッキンの断面を示している。
【図８】パッキンの連結部の他の形態を示す説明図である。
【発明を実施するための形態】
【００１２】
以下、本発明を具体化した実施の形態を、図面を参照して詳細に説明する。図１〜図４は本発明に係るインターホン機器の一例を示し、図示しない玄関子機からの呼び出しに応答するための居室親機を示している。図１はケースの前面を構成するケース上を外した正面説明図であり、パッキンを露出させた状態を示している。図２は図１の状態からパッキンを外した状態を示している。また、図３はケース上を取り付けた居室親機の正面図、図４は図３のＡ−Ａ線断面図である。
【００１３】
居室親機は、図示しない玄関子機に設けられたカメラの撮像映像を表示するためのディスプレイ２ａを有し、このディスプレイ２ａはケース１内に配置された液晶モジュール２により形成されている。
ケース１は、ディスプレイ２ａや操作部３ａ，３ｂが配置されてケース前面を有するケース上１ａと、居室親機を壁面に取り付けた際に壁面に密着配置されるケース背面を有するケース下１ｂとを有し、液晶モジュール２はケース上１ａとケース下１ｂとを一体化したケース１内に配置されて、ケース上１ａに設けられた開口部１１からディスプレイ２ａとしての表示エリアを露出させている。
【００１４】
そして、図２に示すように、液晶モジュール２の表示エリア周囲となる前面周囲には、パッキン４を配設する一定幅の縁部２ｃが周設され、この縁部２ｃに図１に示すようにパッキン４が配置されている。パッキン４は、図４に示すように液晶モジュール２とケース上１ａとの間に配置され、ケース上１ａとケース下１ｂとが一体化されると、ケース上１ａと液晶モジュール２とで挟持され、圧縮されて薄くなる。
尚、図３に示す３ａは玄関ドアの電磁錠を解錠操作する解錠ボタン、３ｂは呼び出しに応答するための通話ボタンである。
【００１５】
図５はパッキン４単体を示している。パッキン４は液晶モジュール２の外寸（開口部１１の各辺の寸法）に合わせた長さの４本の帯状片４０を連結して形成されている。帯状片４０は、合成樹脂製のスポンジ状部材で形成され、図６のＢ部拡大図に示すように上下に配置される帯状片４０は同一形状の部材（第１帯状片４０ａ）が使用され、一方が反転されて使用される。また、左右に配置される帯状片４０も同一形状の部材（第２帯状片４０ｂ）が使用され、一方が反転されて使用される。
そして、第１帯状片４０ａ、第２帯状片４０ｂの端部に形成された連結部は、凹部５ａ或いは凸部５ｂから成る矩形部５を設けて形成されている。
【００１６】
具体的に、上下に配置される第１帯状片４０ａの連結部は、コ字状の凹部５ａが形成され、第２帯状片４０ｂの連結部は凸部５ｂが形成され、この凸部５ｂが凹部５ａに挿入されるよう配置され、図１に示すように連結される。
但し、両者の連結部は、凹部５ａに凸部５ｂを合致させた段階では、図６のＢ部拡大図に示すように両者の間に隙間を有した状態で連結される。
【００１７】
この状態でケース上１ａとケース下１ｂとを合体させてパッキン４をケース上１ａと液晶モジュール２とで挟持させるとパッキン４が圧縮され、例えば２ｍｍあった厚みが１．５ｍｍとなる。
図７はこのパッキン４の変形を示す説明図であり、Ｃ部拡大図である。図７（ａ）は変形前のパッキン４の断面を示し、図７（ｂ）は圧縮されて変形した実際の状態を示している。ケース上１ａをケース下１ｂに組み付けて一体化すると、この図７（ｂ）に示すようにパッキン４は圧縮され、連結部の隙間は塞がれて開口部１１と液晶モジュール２との間の隙間は閉塞される。
【００１８】
このように、パッキン４の連結部が凹部５ａに凸部５ｂを挿入する形態であるため、連結部の経路を長くでき隙間の発生を確実に防止できる。そして、嵌合させる凹部５ａと凸部５ｂとで形成した連結部に隙間を設けることで、スムーズに嵌合させることができ、容易に組み付けできる。それでいて、ケース１内に配置された際には圧縮されて隙間は無くなるため、良好に閉塞できる。
また、帯状片４０の連結部は突き合わせて連結するため互いに重なる事も防止でき、一定の応力を有して且つ密な状態で開口部１１周囲を閉塞できる。そして、パッキン４をシート状部材から切り出す場合、帯状片４０を切り出せば良く廃棄部材の発生が僅かで済む。
更に、２種類の帯状片４０ａ，４０ｂでパッキン４は作製できるため、４つの部材で作製しても部品の種類は僅かで済む。
また、パッキン４を合成樹脂製のスポンジ状部材で形成することで、容易に変形するため、パッキン４を圧縮してもケース１と液晶モジュール２との間に強い応力が加わる事なく、隙間の発生を防止できる。
【００１９】
尚、ここでは、第１帯状片４０ａにより第２帯状片４０ｂを挟む形態としているが、第２帯状片４０ｂを長くして、第２帯状片４０ｂが第１帯状片４０ａを挟むよう形成した場合は、凹部５ａと凸部５ｂの配置が逆になるのは言うまでもない。
また、パッキン４をここでは合成樹脂製のスポンジ状部材としているが、弾性、特に復元力のある柔らかい部材であれば良く、シリコンゴムを使用しても良い。
【００２０】
図８は、帯状片４０の連結部の他の形状を示している。図８（ａ）は凸部５ｂを中央に設けた形状、（ｂ）は一方に２段の段部５を設けて階段状に形成し、他方に１段の階段５を設けた形状、（ｃ）は双方とも１つの段部５を設けた形状を示している。
この図８（ｂ）、（ｃ）に示すように、連結部は嵌合する凹部５ａと凸部５ｂを設けなくとも良く、矩形部としての段部５を設けて両者の間に少なくとも直線状の隙間を形成しなければ、組み付けて圧縮されることで塵の進入を防止できる。また、この形状の場合、凹部５ａに凸部５ｂを嵌合する形状ではないため、連結部に隙間を設けなくとも良くスムーズな連結が可能である。
【符号の説明】
【００２１】
１・・ケース、２・・液晶モジュール、２ａ・・ディスプレイ、４・・パッキン、５・・段部（矩形部）、５ａ・・凹部、５ｂ・・凸部、１１・・開口部、４０・・帯状片、４０ａ・・第１帯状片、４０ｂ・・第２帯状片。
【図１】
2018088592.tif 000003
【図２】
2018088592.tif 000004
【図３】
2018088592.tif 000005
【図４】
2018088592.tif 000006
【図５】
2018088592.tif 000007
【図６】
2018088592.tif 000008
【図７】
2018088592.tif 000009
【図８】
2018088592.tif 000010